(57)【要約】【課題】引き戸の強度や剛性を大きくすることなく、引き戸に設けられたガイドシューが敷居の案内溝から外れることを防止するとともに、ガイドシューの案内溝への嵌合作業や取外す作業を容易にする。【解決手段】エレベータの出入口を開閉するスライド可能な引き戸１の下縁部に設けられたガイドシュー２と、出入口の敷居４に設けられてガイドシュー２がスライド可能に嵌合する案内溝５とを有し、案内溝５は、その長手方向と直交する面内の横幅寸法が大きい幅広部６とこの幅広部６より上側に位置して横幅寸法が幅広部６より小さい幅狭部７とを有し、ガイドシュー２は、幅広部６に嵌合するとともに案内溝５の長手方向と直交する面内の横幅寸法が幅狭部７より大きい抜止部８を有する。案内溝５の底面の一部には、ガイドシュー２の投影面積より大きな面積の開口穴６１が形成され、ガイドシュー２は引き戸１に着脱可能に取付けられている。【選択図】図１３
2012184116.tif 000002
【特許請求の範囲】
【請求項１】
エレベータの出入口を開閉するスライド可能な引き戸の下縁部に設けられたガイドシューと、前記出入口の敷居に設けられて前記ガイドシューがスライド可能に嵌合する案内溝と、を有し、
前記案内溝は、この案内溝の長手方向と直交する面内の横幅寸法が大きい幅広部とこの幅広部より上側に位置して横幅寸法が前記幅広部より小さい幅狭部とを有し、
前記ガイドシューは、前記幅広部に嵌合するとともに前記案内溝の長手方向と直交する面内の横幅寸法が前記幅狭部より大きい抜止部を有し、かつ、
前記案内溝の底面の一部には、前記ガイドシューの投影面積より大きな面積の開口穴が形成され、前記ガイドシューは前記引き戸に着脱可能に取付けられていることを特徴とするエレベータ引き戸の案内装置。
【請求項２】
前記開口穴は、前記出入口の間口範囲内に位置していることを特徴とする請求項１記載のエレベータ引き戸の案内装置。
【請求項３】
前記案内溝の一部に、この案内溝の横幅寸法が上下方向に亘って前記抜止部の横幅寸法より大きい部分が、前記ガイドシューのスライド方向に沿った長さ寸法より長い範囲に亘って形成されていることを特徴とする請求項１記載のエレベータ引き戸の案内装置。
【請求項４】
前記案内溝における横幅寸法が前記抜止部の横幅寸法より大きい部分は、前記出入口の間口範囲外に位置していることを特徴とする請求項３記載のエレベータ引き戸の案内装置。
【発明の詳細な説明】
【技術分野】
【０００１】
本発明は、エレベータ引き戸の案内装置に関し、特に、引き戸に設けられたガイドシューが敷居に形成された案内溝から外れないようにするエレベータ引き戸の案内装置に関する。
【背景技術】
【０００２】
例えば、下記特許文献１に記載されたようなエレベータ引き戸の案内装置が知られている。このエレベータ引き戸の案内装置によれば、エレベータの出入口を開閉するスライド可能な引き戸が設けられ、引き戸の下縁部にガイドシュー（特許文献１では案内片と表示）が設けられている。ガイドシューは、敷居に設けられた案内溝にスライド可能に嵌合されている。
【０００３】
案内溝の横幅寸法は、ガイドシューの横幅寸法より僅かに大きく形成され、ガイドシューは案内溝に対して上方から出し入れ可能となっている。
【０００４】
なお、エレベータ引き戸としては、エレベータ乗場に設けられた乗り場ドア、乗りかごに設けられたかごドアが該当する。
【先行技術文献】
【特許文献】
【０００５】
【特許文献１】特開２００１−５８７８４号公報
【発明の概要】
【発明が解決しようとする課題】
【０００６】
しかしながら、前述のエレベータ引き戸の案内装置においては、以下の点について配慮がなされていない。
【０００７】
エレベータ利用者や搬送中の荷物が引き戸に衝突すると、引き戸に大きな外力が作用して引き戸が大きく撓む場合がある。引き戸が大きく撓むと、この撓みに伴ってガイドシューが上方へ持ち上げられ、ガイドシューが敷居の案内溝から外れ、引き戸の開閉が妨げられる場合がある。
【０００８】
なお、引き戸の強度や剛性を高めれば、引き戸に外力が作用した場合における引き戸の撓み量を小さくすることができ、ガイドシューが敷居の案内溝から外れることを防止することが可能となる。
【０００９】
しかしその場合には、引き戸の強度や剛性を高めるために行う補強により引き戸の重量が増し、重量が増した引き戸を開閉する場合の慣性エネルギーが増大する。そのため、引き戸を開閉するための駆動装置の駆動力を上げる必要が生じたり、戸閉動作時に人や物が引き戸に挟まれた場合における引き戸の緊急停止性能が低下するという問題が生じる。
【００１０】
本発明はこのような課題を解決するためになされたもので、その目的は、引き戸の強度や剛性を高めることなく、引き戸に設けられたガイドシューが敷居の案内溝から外れることを防止することである。
【課題を解決するための手段】
【００１１】
本発明の実施の形態に係る特徴は、エレベータ引き戸の案内装置において、エレベータの出入口を開閉するスライド可能な引き戸の下縁部に設けられたガイドシューと、前記出入口の敷居に設けられて前記ガイドシューがスライド可能に嵌合する案内溝と、を有し、前記案内溝は、この案内溝の長手方向と直交する面内の横幅寸法が大きい幅広部とこの幅広部より上側に位置して横幅寸法が前記幅広部より小さい幅狭部とを有し、前記ガイドシューは、前記幅広部に嵌合するとともに前記案内溝の長手方向と直交する面内の横幅寸法が前記幅狭部より大きい抜止部を有し、かつ、前記案内溝の底面の一部には、前記ガイドシューの投影面積より大きな面積の開口穴が形成され、前記ガイドシューは前記引き戸に着脱可能に取付けられていることである。
【発明の効果】
【００１２】
本発明によれば、敷居の案内溝に嵌合された引き戸のガイドシューが、引き戸の強度や剛性を高めることなく案内溝から外れることを防止することができる。
【図面の簡単な説明】
【００１３】
【図１】第１の実施の形態に係るエレベータ引き戸の案内装置を示す斜視図である。
【図２】その側面図である。
【図３】第１の実施の形態の第１の変形例を示す側面図である。
【図４】第１の実施の形態の第２の変形例を示す側面図である。
【図５】第１の実施の形態の第３の変形例を示す側面図である。
【図６】第２の実施の形態に係るエレベータ引き戸の案内装置を示す斜視図である。
【図７】その側面図である。
【図８】第３の実施の形態に係るエレベータ引き戸の案内装置を示す斜視図である。
【図９】その側面図である。
【図１０】第４の実施の形態に係るエレベータ引き戸の案内装置を示す斜視図である。
【図１１】その側面図である。
【図１２】本発明の実施の形態に係るエレベータ引き戸の案内装置を示す斜視図である。
【図１３】その側面図である。
【発明を実施するための形態】
【００１４】
以下、本発明の実施の形態を図面を用いて説明する。
【００１５】
（第１の実施の形態）
本発明の第１の実施の形態に係るエレベータ引き戸の案内装置は、図１及び図２に示すように、エレベータ乗りかごに、エレベータの出入口を開閉するスライド可能な引き戸１であるかごドアが設けられ、引き戸１の下縁部にはガイドシュー２が取付ネジ３により着脱可能にネジ止めされている。なお、ガイドシュー２は、引き戸１の下縁部の長手方向に沿って複数個ネジ止めされている。
【００１６】
エレベータ乗りかごには、引き戸１の下縁部と対向する位置に敷居４が設けられ、この敷居４には、ガイドシュー２がスライド可能に嵌合する案内溝５が形成されている。
【００１７】
案内溝５は、引き戸１のスライド方向に沿って直線状に形成され、この案内溝５の長手方向と直交する面内の断面形状が、図２に示すように、下側に位置する幅広部６と上側に位置する幅狭部７とを有する段付形状に形成されている。案内溝５を長手方向と直交する面内で断面した場合の案内溝５の幅広部６の横幅寸法が“Ａ”、幅狭部７の横幅寸法が“Ｂ（但し、Ｂ＜Ａ）”に形成されている。
【００１８】
ガイドシュー２は、金属で一体に形成された抜止部８と取付部９とを有し、取付部９の一端が取付ネジ３により引き戸１にネジ止めされている。抜止部８の周面であって案内溝５に摺接する部分には、フッ素樹脂などの摺動材１０が被覆されている。
【００１９】
抜止部８は、ガイドシュー２を案内溝５の長手方向と直交する面で断面にした場合の横幅寸法が“Ｃ”に形成され、この横幅寸法“Ｃ”は、案内溝５の幅広部６の横幅寸法“Ａ”より小さく形成され、かつ、案内溝５の幅狭部７の横幅寸法“Ｂ”より大きく形成されている。また、この抜止部８は、案内溝５の幅広部６にスライド可能に嵌合されている。
【００２０】
このような構成において、ガイドシュー２が案内溝５に嵌合されており、エレベータの出入口を開閉する際の引き戸１のスライド動作に伴い、ガイドシュー２が案内溝５内をスライドし、抜止部８は幅広部６内をスライドする。
【００２１】
エレベータ利用者や搬送中の荷物が引き戸１に衝突すると、引き戸１に大きな外力が作用し、引き戸１が撓む場合がある。引き戸１が撓むと、その撓みに伴ってガイドシュー２が上方に持ち上げられる。
【００２２】
ガイドシュー２が上方に持ち上げられた場合、横幅寸法が“Ｃ”である抜止部８は、横幅寸法が“Ｂ（但し、Ｂ＜Ｃ）”である幅狭部７に引っ掛かり、幅狭部７を通過することが阻止される。言い換えると、抜止部８を有するガイドシュー２が案内溝５から外れることが防止され、案内溝５に対するガイドシュー２の嵌合状態を維持することができ、引き戸１のスムーズな開閉動作を維持することができる。
【００２３】
ガイドシュー２は、引き戸１の下縁部に取付ネジ３により着脱可能にネジ止めされている。このため、引き戸１の設置作業に際しては、引き戸１から外したガイドシュー２を案内溝５の端部から案内溝５に嵌合させ、ガイドシュー２を取外した引き戸１を敷居４の上方に位置させ、案内溝５に嵌合されているガイドシュー２を引き戸１の下縁部に取付ネジ３でネジ止めすることができる。これにより、引き戸１に取付けられているガイドシュー２を案内溝５の端部から案内溝５に嵌合する場合に比べて、引き戸１の設置作業に要する時間と手間とを大幅に軽減することができる。
【００２４】
なお、第１の実施の形態では、引き戸１の一例としてエレベータ乗りかごのかごドアを例に挙げて説明したが、本発明のエレベータ引き戸の案内装置を、エレベータ乗場に設けられる引き戸である乗り場ドアにも適用することが可能である。
【００２５】
図３ないし図５は、第１の実施の形態に係るエレベータ引き戸の案内装置の変形例を示したものである。
【００２６】
図３に示す第１の変形例では、敷居４に案内溝１１が形成され、引き戸１の下縁部には案内溝１１にスライド可能に嵌合するガイドシュー１２がネジ止めされている。
【００２７】
案内溝１１は、案内溝１１の長手方向と直交する面内の断面形状が台形状に形成され、案内溝１１の下側に位置する幅広部１３と、幅広部１３より上側に位置する幅狭部１４とを有している。幅広部１３の横幅寸法が“Ａ”、幅狭部１４の横幅寸法が“Ｂ（但し、Ｂ＜Ａ）”に形成されている。
【００２８】
ガイドシュー１２は、金属で一体に形成された抜止部１５と取付部１６とを有し、取付部１６の一端が取付ネジ３により引き戸１にネジ止めされている。抜止部１５の周面であって案内溝１１に摺接する部分には、フッ素樹脂などの摺動材（図示せず）が被覆されている。
【００２９】
抜止部１５は、ガイドシュー１２を案内溝１１の長手方向と直交する面で断面にした場合の断面形状が台形状に形成され、その最大箇所の横幅寸法が“Ｃ”に形成されている。この横幅寸法“Ｃ”は、案内溝１１の幅広部１３の横幅寸法“Ａ”より小さく形成され、かつ、案内溝１１の幅狭部１４の横幅寸法“Ｂ”より大きく形成されている。
【００３０】
この変形例においても、引き戸１への外力の作用に伴ってガイドシュー１２が上方に持ち上げられた場合、最大箇所の横幅寸法が“Ｃ”である抜止部１５は、横幅寸法が“Ｂ（但し、Ｂ＜Ｃ）”である幅狭部１４を通過することが阻止され、ガイドシュー１２が案内溝１１から外れることが防止される。
【００３１】
図４に示す第２の変形例では、敷居４に案内溝１７が形成され、引き戸１の下縁部には案内溝１７にスライド可能に嵌合するガイドシュー１８がネジ止めされている。
【００３２】
案内溝１７は、案内溝１７の長手方向と直交する面内の断面形状が円形状に形成され、案内溝１７の上下方向の中間部に位置する幅広部１９と、幅広部１９より上側に位置する幅狭部２０とを有している。幅広部１９の横幅寸法が“Ａ”、幅狭部２０の横幅寸法が“Ｂ（但し、Ｂ＜Ａ）”に形成されている。
【００３３】
ガイドシュー１８は、金属で一体に形成された抜止部２１と取付部２２とを有し、取付部２２の一端が取付ネジ３により引き戸１にネジ止めされている。抜止部２１の周面であって案内溝１７に摺接する部分には、フッ素樹脂などの摺動材（図示せず）が被覆されている。
【００３４】
抜止部２１は、ガイドシュー１８を案内溝１７の長手方向と直交する面で断面にした場合の断面形状が円形状に形成され、その最大箇所の横幅寸法が“Ｃ”に形成されている。この横幅寸法“Ｃ”は、案内溝１７の幅広部１９の横幅寸法“Ａ”より小さく形成され、かつ、案内溝１７の幅狭部２０の横幅寸法“Ｂ”より大きく形成されている。
【００３５】
この変形例においても、引き戸１への外力の作用に伴ってガイドシュー１８が上方に持ち上げられた場合、最大箇所の横幅寸法が“Ｃ”である抜止部２１は、横幅寸法が“Ｂ（但し、Ｂ＜Ｃ）”である幅狭部２０を通過することが阻止され、ガイドシュー１８が案内溝１７から外れることが防止される。
【００３６】
図５に示す第３の変形例では、敷居４に案内溝２３が形成され、引き戸１の下縁部には案内溝２３にスライド可能に嵌合するガイドシュー２４がネジ止めされている。
【００３７】
案内溝２３は、案内溝２３の長手方向と直交する面内の断面形状がコの字型に形成され、案内溝２３の下側に位置する幅広部２５と、幅広部２５より上側に位置する幅狭部２６とを有している。幅広部２５の横幅寸法が“Ａ”、幅狭部２６の横幅寸法が“Ｂ（但し、Ｂ＜Ａ）”に形成されている。
【００３８】
ガイドシュー２４は、金属で一体に形成された抜止部２７と取付部２８とを有し、取付部２８の一端が取付ネジ３により引き戸１にネジ止めされている。抜止部２７の周面であって案内溝２３に摺接する部分には、フッ素樹脂などの摺動材（図示せず）が被覆されている。
【００３９】
抜止部２７は、ガイドシュー２４を案内溝２３の長手方向と直交する面で断面にした場合の断面形状がコの字型に形成され、幅狭部２６より下側に位置する部分の横幅寸法が“Ｃ”に形成されている。この横幅寸法“Ｃ”は、案内溝２３の幅広部２５の横幅寸法“Ａ”より小さく形成され、かつ、案内溝２３の幅狭部２６の横幅寸法“Ｂ”より大きく形成されている。
【００４０】
この変形例においても、引き戸１への外力の作用に伴ってガイドシュー２４が上方に持ち上げられた場合、横幅寸法が“Ｃ”である抜止部２７は、横幅寸法が“Ｂ（但し、Ｂ＜Ｃ）”である幅狭部２６を通過することが阻止され、ガイドシュー２４が案内溝２３から外れることが防止される。
【００４１】
（第２の実施の形態）
本発明の第２の実施の形態に係るエレベータ引き戸の案内装置について、図６及び図７に基づいて説明する。なお、本実施の形態及び以下に説明する他の実施の形態において、先行して説明した実施の形態の構成要素と同じ構成要素には同じ符号を付し、重複する説明は省略する。
【００４２】
エレベータ乗りかごには、エレベータの出入口を開閉するスライド可能な引き戸１であるかごドアが設けられ、引き戸１の下縁部にはガイドシュー３１が取付ネジ３により着脱可能にネジ止めされている。なお、ガイドシュー３１は、引き戸１の下縁部の長手方向に沿って複数個ネジ止めされている。
【００４３】
エレベータ乗りかごには、引き戸１の下縁部と対向する位置に敷居４が設けられ、この敷居４には、ガイドシュー３１がスライド可能に嵌合する案内溝３２が形成されている。
【００４４】
案内溝３２は、引き戸１のスライド方向に沿って直線状に形成され、案内溝３２の底面に、この案内溝３２の長手方向に沿って延出した突起３３が設けられている。突起３３は、案内溝３２の長手方向と直交する面内の横幅寸法が上下位置で異なり、下側に横幅寸法が小さい幅狭部３４を有し、上側に幅狭部３４より横幅寸法が大きい幅広部３５を有している。なお、幅狭部３４の横幅寸法が“Ｄ”、幅広部３５の横幅寸法が“Ｅ（但し、Ｄ＜Ｅ）”に形成されている。
【００４５】
ガイドシュー３１は、金属で一体に形成された抜止部３６と取付部３７とを有し、取付部３７の一端が取付ネジ３により引き戸１にネジ止めされている。
【００４６】
抜止部３６には、突起３３にスライド可能に嵌合するスリット３８が形成され、このスリット３８は下側に幅狭部３９が形成され、上側に幅広部４０が形成されている。案内溝３２の長手方向と直交する面内の幅狭部３９の横幅寸法が“Ｆ”、幅広部４０の横幅寸法が“Ｇ（但し、Ｆ＜Ｇ）”に形成されている。なお、スリット３８の幅狭部３９の横幅寸法“Ｆ”は、突起３３の上側の横幅寸法“Ｅ”より小さく形成されている。
【００４７】
このような構成において、ガイドシュー３１が案内溝３２に嵌合されており、エレベータの出入口を開閉する際の引き戸１のスライド動作に伴い、ガイドシュー３１が案内溝３２内をスライドする。
【００４８】
さらに、スリット３８が突起３３に嵌合されており、エレベータの出入口を開閉する際の引き戸１のスライド動作に伴い、ガイドシュー３１はスリット３８を突起３３に嵌合させた状態で案内溝３２内をスライドする。
【００４９】
エレベータ利用者や搬送中の荷物が引き戸１に衝突すると、引き戸１に大きな外力が作用し、引き戸１が撓む場合がある。引き戸１が撓むと、その撓みに伴ってガイドシュー３１が上方に持ち上げられる。
【００５０】
ガイドシュー３１が上方に持ち上げられた場合、横幅寸法が“Ｆ”であるスリット３８の幅狭部３９の縁部は、横幅寸法が“Ｅ（但し、Ｆ＜Ｅ）”である突起３３の幅広部３５に引っ掛かり、スリット３８が幅広部３５を上方に通過することが阻止される。言い換えると、スリット３８が形成された抜止部３６が突起３３に引っ掛かり、ガイドシュー３１が案内溝３２から外れることが防止され、案内溝３２に対するガイドシュー３１の嵌合状態を維持することができ、引き戸１のスムーズな開閉動作を維持することができる。
【００５１】
ガイドシュー３１は、引き戸１の下縁部に取付ネジ３により着脱可能にネジ止めされている。このため、引き戸１の設置作業に際しては、第１の実施の形態と同様に、引き戸１から外したガイドシュー３１を案内溝３２の端部から案内溝３２に嵌合させ、ガイドシュー３１を取外した引き戸１を敷居４の上方に位置させ、案内溝３２に嵌合されているガイドシュー３１を引き戸１の下縁部に取付ネジ３でネジ止めすることができる。これにより、引き戸１に取付けられているガイドシュー３１を案内溝３２の側方から案内溝３２に嵌合する場合に比べて、引き戸１の設置作業に要する時間と手間とを大幅に軽減することができる。
【００５２】
（第３の実施の形態）
本発明の第３の実施の形態に係るエレベータ引き戸の案内装置について、図８及び図９に基づいて説明する。本実施の形態の基本的構造は第１の実施の形態（図１及び図２参照）と同じであり、敷居４に、幅広部６と幅狭部７とを有する案内溝５が形成され、案内溝５には抜止部８を有するガイドシュー２がスライド可能に嵌合されている。
【００５３】
案内溝５の長手方向に沿った一部には、案内溝５の横幅寸法が上下方向に亘ってガイドシュー２の抜止部８の横幅寸法“Ｃ”より大きい部分である着脱幅広部４１が形成されている。この着脱幅広部４１は、エレベータに出入する出入口の間口範囲外に位置して形成されている。
【００５４】
着脱幅広部４１の範囲では、案内溝５の幅狭部７が除去されており、案内溝５の横幅寸法が上下方向に亘って幅広部６の横幅寸法“Ａ（但し、Ａ＞Ｃ）”とされている。言い換えると、着脱幅広部４１の範囲では、案内溝５の横幅寸法が上下方向に亘ってガイドシュー２の抜止部８の横幅寸法“Ｃ”より大きく形成されている。
【００５５】
また、着脱幅広部４１が案内溝５の長手方向に沿って形成されている範囲“Ｌ１”は、ガイドシュー２のスライド方向に沿ったガイドシュー２（又は、抜止部８）の長さ寸法“Ｌ２”より長い範囲とされている。
【００５６】
このような構成において、ガイドシュー２は案内溝５に嵌合され、エレベータの出入口を開閉する際の引き戸１のスライド動作に伴い、ガイドシュー２が案内溝５内をスライドする。
【００５７】
エレベータ利用者や搬送中の荷物が引き戸１に衝突し、引き戸１が撓んでガイドシュー２が上方に持ち上げられた場合には、第１の実施の形態において説明したように、ガイドシュー２の抜止部８が幅狭部７に引っ掛かり、ガイドシュー２が案内溝５から外れることが防止される。
【００５８】
ガイドシュー２を案内溝５に嵌合させる場合には、着脱幅広部４１の上方にガイドシュー２を位置させ、ガイドシュー２を下ろすことにより嵌合させることができる。着脱幅広部４１には幅狭部７がないので、ガイドシュー２の抜止部８が幅狭部７に引っ掛かることなくガイドシュー２を案内溝５に嵌合させることができる。また、ガイドシュー２を案内溝５から取外す場合には、ガイドシュー２を着脱幅広部４１の位置にスライドさせ、ガイドシュー２を持ち上げることにより案内溝５から取外すことができる。着脱幅広部４１には幅狭部７がないので、ガイドシュー２の抜止部８が幅狭部７に引っ掛かることなくガイドシュー２を案内溝５から取外すことができる。
【００５９】
したがって、着脱幅広部４１を形成することにより、ガイドシュー２を案内溝５に嵌合させる作業やガイドシュー２を案内溝５から取外す作業を容易に行なうことができるようになる。
【００６０】
また、着脱幅広部４１はエレベータの出入口の間口範囲外に位置して形成されているため、出入口から出入するエレベータ利用者からは着脱幅広部４１が見えず、エレベータ利用者から見える間口範囲内の案内溝５が同じ形状となり、意匠上の美観を維持することができる。
【００６１】
（第４の実施の形態）
本発明の第４の実施の形態に係るエレベータ引き戸の案内装置について、図１０及び図１１に基づいて説明する。本実施の形態の基本的構造は第２の実施の形態（図６及び図７参照）と同じであり、敷居４に案内溝３２が形成され、案内溝３２の底面に、この案内溝３２の長手方向に沿って延出した突起３３が設けられている。
【００６２】
突起３３は、下側に幅狭部３４を有し、上側に幅狭部３４より横幅寸法が大きい幅広部３５を有している。
【００６３】
案内溝３２にはガイドシュー３１がスライド可能に嵌合され、ガイドシュー３１の抜止部３６には突起３３にスライド可能に嵌合するスリット３８が形成されている。
【００６４】
突起３３の長手方向に沿った一部には、突起３３の横幅寸法が上下方向に亘ってスリット３８の幅狭部３９の横幅寸法“Ｆ”より小さい部分である着脱幅狭部５１が形成されている。この着脱幅狭部５１は、エレベータに出入する出入口の間口範囲外に位置して形成されている。
【００６５】
着脱幅狭部５１の範囲では、突起３３の幅広部３５が除去されており、突起３３の横幅寸法が上下方向に亘って幅狭部３４の横幅寸法“Ｄ”とされている。言い換えると、着脱幅狭部５１の範囲では、突起３３の横幅寸法が上下方向に亘ってスリット３８の幅狭部３９の横幅寸法“Ｆ”より小さく形成されている。
【００６６】
また、着脱幅狭部５１が突起３３の長手方向に沿って形成されている範囲“Ｌ３”は、ガイドシュー３１のスライド方向に沿ったガイドシュー３１（又は、抜止部３６）の長さ寸法“Ｌ２”より長い範囲とされている。
【００６７】
このような構成において、ガイドシュー３１は案内溝３２に嵌合され、エレベータの出入口を開閉する際の引き戸１のスライド動作に伴い、ガイドシュー３１はスリット３８を突起３３に嵌合させた状態で案内溝３２内をスライドする。
【００６８】
エレベータ利用者や搬送中の荷物が引き戸１に衝突し、引き戸１が撓んでガイドシュー３１が上方に持ち上げられた場合には、第２の実施の形態において説明したように、スリット３８の幅狭部３９の縁部が突起３３の幅広部３５に引っ掛かり、ガイドシュー３１が案内溝３２から外れることが防止される。
【００６９】
ガイドシュー３１を案内溝３２に嵌合させる場合には、着脱幅狭部５１の上方にガイドシュー３１を位置させ、ガイドシュー３１を下ろすことにより嵌合させることができる。着脱幅狭部５１には幅広部３５がないので、スリット３８の幅狭部３９の縁部が幅広部３５に引っ掛かることなくスリット３８を突起３３に嵌合させることができる。また、ガイドシュー３１を案内溝３２から取外す場合には、ガイドシュー３１を着脱幅狭部５１の位置にスライドさせ、ガイドシュー３１を持ち上げることにより案内溝３２から取外すことができる。着脱幅狭部５１には幅広部３５がないので、スリット３８の幅狭部３９の縁部が幅広部３５に引っ掛かることなくガイドシュー３１を案内溝３２から取外すことができる。
【００７０】
したがって、着脱幅狭部５１を形成することにより、ガイドシュー３１を案内溝３２に嵌合させる作業やガイドシュー３１を案内溝３２から取外す作業を容易に行なうことができるようになる。
【００７１】
また、着脱幅狭部５１はエレベータの出入口の間口範囲外に位置して形成されているため、出入口から出入するエレベータ利用者からは着脱幅狭部５１が見えず、エレベータ利用者から見える間口範囲内の突起３３が同じ形状となり、意匠上の美観を維持することができる。
【００７２】
（第５の実施の形態）
本発明の第５の実施の形態に係るエレベータ引き戸の案内装置について、図１２及び図１３に基づいて説明する。本実施の形態の基本的構造は第１の実施の形態（図１及び図２参照）と同じであり、敷居４に、幅広部６と幅狭部７とを有する案内溝５が形成され、案内溝５には抜止部８を有するガイドシュー２がスライド可能に嵌合されている。
【００７３】
案内溝５の底面の一部に、ガイドシュー２の投影面積より大きな面積の開口穴６１が形成されている。言い換えると、案内溝５の底面部分に、案内溝５の底面側から案内溝５内にガイドシュー２を出し入れ可能なサイズの開口穴６１が形成されている。なお、開口穴６１から案内溝５内へのガイドシュー２の出し入れは、ガイドシュー２を引き戸１から外した状態で行なう。
【００７４】
開口穴６１は、エレベータの出入口の間口範囲内に位置して形成されている。
【００７５】
このような構成において、ガイドシュー２は案内溝５に嵌合され、エレベータの出入口を開閉する際の引き戸１のスライド動作に伴い、ガイドシュー２が案内溝５内をスライドする。
【００７６】
エレベータ利用者や搬送中の荷物が引き戸１に衝突し、引き戸１が撓んでガイドシュー２が上方に持ち上げられた場合には、第１の実施の形態において説明したように、ガイドシュー２の抜止部８が幅狭部７に引っ掛かり、ガイドシュー２が案内溝５から外れることが防止される。
【００７７】
ガイドシュー２を案内溝５に嵌合させる場合には、ガイドシュー２を開口穴６１の下側から案内溝５内に入れ、案内溝５に嵌合させる。開口穴６１はガイドシュー２の投影面積より大きな面積に形成されており、ガイドシュー２を開口穴６１の下方から案内溝５に何らの支障なく入れることができる。また、ガイドシュー２を案内溝５から取外す場合には、ガイドシュー２が開口穴６１の上方に位置するように引き戸１を移動させ、取付ネジ３を外し、ガイドシュー２を開口穴６１から引き出して案内溝５から取外す。開口穴６１はガイドシュー２の投影面積より大きな面積に形成されており、ガイドシュー２を開口穴６１から何らの支障なく引き出して案内溝５から取外すことができる。
【００７８】
したがって、開口穴６１を形成することにより、ガイドシュー２を案内溝５に嵌合させる作業やガイドシュー２を案内溝５から取外す作業を容易に行なうことができるようになる。
【００７９】
開口穴６１は、エレベータの出入口の間口範囲内に位置して形成されているため、案内溝５に入り込んだゴミを開口穴６１から落とすことができ、案内溝５の清掃を容易に行なうことができる。
【符号の説明】
【００８０】
１…引き戸、２…ガイドシュー、４…敷居、５…案内溝、６…幅広部、７…幅狭部、８…抜止部、１１…案内溝、１２…ガイドシュー、１３…幅広部、１４…幅狭部、１５…抜止部、１７…案内溝、１８…ガイドシュー、１９…幅広部、２０…幅狭部、２１…抜止部、２３…案内溝、２４…ガイドシュー、２５…幅広部、２６…幅狭部、２７…抜止部、３１…ガイドシュー、３２…案内溝、３８…スリット、６１…開口穴
【図１】
2012184116.tif 000003
【図２】
2012184116.tif 000004
【図３】
2012184116.tif 000005
【図４】
2012184116.tif 000006
【図５】
2012184116.tif 000007
【図６】
2012184116.tif 000008
【図７】
2012184116.tif 000009
【図８】
2012184116.tif 000010
【図９】
2012184116.tif 000011
【図１０】
2012184116.tif 000012
【図１１】
2012184116.tif 000013
【図１２】
2012184116.tif 000014
【図１３】
2012184116.tif 000015